(57)【特許請求の範囲】
【請求項１】
外側リンクと、外側リンクの内側に一部が重複するように交互に配置された内側リンクと、前記両リンクを連結するために前記両リンクの重複部分を貫通して装着された連結ピンとを有するチェーンの前記連結ピンを外すことにより前記チェーンを切断するためのチェーン切断工具であって、
前記連結ピンに対向する位置に配置される雌ねじ部及び前記連結ピンの軸方向への前記外側及び内側リンクの少なくとも一方の移動を規制する移動規制部を有する本体部と、
前記雌ねじ部に螺合する雄ねじ部が形成されたねじ軸を有するハンドル部と、
前記連結ピンより小径でありかつ前記連結ピンより短い先端部及び前記先端部と一体形成され少なくとも前記先端部との境界部分が前記先端部より小径な基端部を有し、前記基端部が前記ねじ軸の先端に着脱自在に連結され、前記ハンドル部を回転させることにより前記連結ピンに接触して押圧し、前記連結ピンを抜き取る軸抜きピンと、
を備えたチェーン切断工具。
【請求項２】
前記先端部は先細りのテーパ部を有している、請求項１に記載のチェーン切断工具。
【請求項３】
前記基端部は、前記先端部より小径の除去部と、前記除去部に隣接して配置され前記ねじ軸に連結される連結部とを有する、請求項１又は２に記載のチェーン切断工具。
【請求項４】
チェーンの外側リンクと内側リンクとを連結するための連結ピンに対向する位置に配置される雌ねじ部及び前記連結ピンの軸方向への前記外側及び内側リンクの少なくとも一方の移動規制する移動規制部を有する本体部と、雌ねじ部に螺合する雄ねじ部が形成されたねじ軸を有するハンドル部とを備え、前記連結ピンを押圧して外すことにより前記チェーンを切断するチェーン切断装置の前記ねじ軸の先端に着脱自在に連結される軸抜きピンであって、
前記連結ピンに接触可能であり前記連結ピンより小径でありかつ前記連結ピンより短い先端部と、
前記先端部と一体形成され前記先端部より小径な除去部及び前記除去部に隣接して配置され前記ねじ軸に連結される連結部を有する基端部と、
を備えた軸抜きピン。
【発明の詳細な説明】
【０００１】
【発明の属する技術分野】
本発明は、切断工具、特に、両端外側に凹部を有する外側リンクと、外側リンクの内側に一部が重複するように交互に配置された内側リンクと、前記両リンクを連結するために前記両リンクの重複部分を貫通して装着され前記凹部に係合する膨出部がカシメにより両端に形成された連結ピンとを有するチェーンの前記連結ピンを外すことにより前記チェーンを切断するためのチェーン切断工具に関する。
【０００２】
【従来の技術】
自転車用いられるチェーンを交換したりチェーンの長さを変えたりしたい場合に使用するチェーン切断工具が知られている（たとえば、非特許文献１参照。）。
チェーンは、外側リンクと、外側リンクの内側に一部が重複するように交互に配置された内側リンクと、前記両リンクを連結するために両リンクの重複部分を貫通して装着された連結ピンとを有している。
【０００３】
従来のチェーン切断工具は、連結ピンに対向する位置に配置される雌ねじ部及び連結ピンの軸方向への外側リンクの移動を規制する移動規制部を有する本体部と、ハンドル部と、軸抜きピンとを有している。ハンドル部は、雌ねじ部に螺合する雄ねじ部が形成されたねじ軸を有している。軸抜きピンは、ねじ軸の先端に着脱自在に連結され、ハンドル部を回転させることにより連結ピンに接触して押圧して連結ピンを抜き取るために装着されている。軸抜きピンは、連結ピンより小径の先端部及び先端部より大径で先端部との段差部分でねじ軸に連結される連結部を有している。
【０００４】
このようなチェーン切断工具を用いてチェーンを切断する場合、まず、チェーンに本体部をセットして軸抜きピンを切断位置の連結ピンに対向して配置する。そして、ハンドル部をねじ込み方向に回して連結ピンを軸抜きピンで外側リンクの反対側に向けて押圧して抜き出す。最後に、ハンドル部を逆に回して軸抜きピンをチェーンから抜く。これによりチェーンが切断される。
【０００５】
チェーンを連結するときには、特殊な形状のスペアピンを外側リンクの連結ピンの挿入位置に押圧側から配置し、チェーン切断工具を利用して連結ピンに代えてスペアピンを押圧する。スペアピンは、連結ピンの２倍以上の長さで形成されており、その途中には切断のための切り込みが形成されている。スペアピンの装着が完了すると、切り込みから先端部分を切断して連結作業を終了する。
【０００６】
【非特許文献１】
株式会社  シマノ  発行  ＳＨＩＭＡＮＯ  ２００３  ＢＩＣＹＣＬＥ  ＣＯＭＰＯＮＥＮＴＳ  販売店様用セールスマニュアル（第２０５頁右欄）
【０００７】
【発明が解決しようとする課題】
最近、リアディレーラでの変速に用いられる多段ギアのスプロケットの枚数が増加し、１０枚のものが販売されている。限られたハブ軸方向の空間に多くのスプロケットが並設されているため、スプロケットの枚数が増加すると、スプロケット間の隙間が狭くなり、それに用いるチェーンの幅が狭くなっている。このような狭幅のチェーンの場合、それまでのチェーンと異なり外側リンクから軸方向外方に連結ピンがはみ出さないようにして、チェーン全体の幅を狭くしている。具体的には、外側リンクの連結ピン装着部分に環状の凹部を形成し、その凹部内で連結ピンの両端をカシメ固定している。したがって、連結ピンの両端はカシメにより凹部内で他の部分より径方向外方に膨出している。
【０００８】
このような狭幅のチェーンを、従来のチェーン切断工具を用いて前述した手順で切断すると、軸抜きピンで押圧したとき、連結ピンの膨出部分のうち、押圧側の膨出部分が他の部分からせん断され、外側リンクの凹部に膨出部分の環状の残滓が付着して残ることがある。このように膨出部分の残滓が凹部にあると、スペアピンを装着したとき、膨出部分の残滓が邪魔をしてスペアピンをうまく挿入できないことがある。このような場合、膨出部分の残滓を別の工具などを利用して除去しなければならない。このため、連結ピンの残滓が凹部に残ると、チェーンの切断・連結作業が煩わしいものになる。
【０００９】
本発明の課題は、チェーン切断工具及び軸抜きピンにおいて、狭幅のチェーンの切断時に連結ピンの残滓を残さないようにすることにある。
【００１０】
【課題を解決するための手段】
発明１に係るチェーン切断工具は、外側リンクと、外側リンクの内側に一部が重複するように交互に配置された内側リンクと、両リンクを連結するために両リンクの重複部分を貫通して装着された連結ピンとを有するチェーンの連結ピンを外すことによりチェーンを切断するための工具であって、本体部と、ハンドル部と、軸抜きピンとを備えている。本体部は、連結ピンに対向する位置に配置される雌ねじ部及び連結ピンの軸方向への外側及び内側リンクの少なくとも一方の移動を規制する移動規制部を有するものである。ハンドル部は、雌ねじ部に螺合する雄ねじ部が形成されたねじ軸を有するものである。軸抜きピンは、連結ピンより小径でありかつ連結ピンより短い先端部及び先端部と一体形成され少なくとも先端部との境界部分が先端部より小径な基端部を有し、ねじ軸の先端に着脱自在に連結され、ハンドル部を回転させることにより連結ピンに接触して押圧し、連結ピンを抜き取るピンである。
【００１１】
このチェーン切断工具では、チェーンを切断する際には、連結ピンに対向して軸抜きピンを配置し、ハンドル部をねじ込み方向に回してねじ軸を進出させ、軸抜きピンで連結ピンを押圧する。このとき、外側及び内側リンクの少なくとも一方は移動規制部により軸方向の移動が規制されて連結ピンだけが押圧方向に移動する。そして軸抜きピンがチェーンを貫通すると、連結ピンが外れる。このとき、連結ピンの押圧側の膨出部分の残滓が凹部に環状に残ることがある。連結ピンが外れると、ハンドル部を逆方向に回転させて軸抜きピンを後退させる。すると、先端部と基端部との境界部分の段差に環状の残滓が引っ掛かり後退する軸抜きピンとともに凹部から外れる。ここでは、軸抜きピンの先端部と基端部との間に段差を設け、軸抜きピンの後退時に残滓を引っ掛けて除去できるようにしたので、狭幅のチェーンであっても連結ピンの膨出部分の残滓が残りにくくなる。
【００１２】
発明２に係るチェーン切断工具は、発明１に記載の工具において、先端部は先細りのテーパ部を有している。この場合には、テーパ部により軸抜きピンの先端での連結ピンに対する位置決めが容易になる。
発明３に係るチェーン切断工具は、発明１又は２に記載の工具において、基端部は、先端部より小径の除去部と、除去部に隣接して配置されねじ軸に連結される連結部とを有する。この場合には、先端部と除去部との段差により連結ピンの残滓を確実に除去できるとともに、連結部を従来のチェーン切断工具と取り合いを合わせることにより従来のチェーン切断装置と互換性を維持できる。
【００１３】
発明４に係る軸抜きピンは、チェーンの外側リンクと内側リンクとを連結するための連結ピンに対向する位置に配置される雌ねじ部及び連結ピンの軸方向への外側及び内側リンクの少なくとも一方の移動を規制する移動規制部を有する本体部と、雌ねじ部に螺合する雄ねじ部が形成されたねじ軸を有するハンドル部とを備え、連結ピンを押圧して外すことによりチェーンを切断するチェーン切断装置のねじ軸の先端に着脱自在に連結されるピンであって、先端部と、基端部とを有している。先端部は、連結ピンに接触可能であり連結ピンより小径でありかつ連結ピンより短いものである。基端部は、先端部と一体形成され先端部より小径な除去部及び除去部に隣接して配置されねじ軸に連結される連結部を有するものである。
【００１４】
この軸抜きピンをチェーン切断装置に装着する際には、連結部をねじ軸に連結する。そしてチェーンを切断する際には、連結ピンに対向して軸抜きピンを配置し、ハンドル部をねじ込み方向に回してねじ軸を進出させ、軸抜きピンで連結ピンを押圧する。このとき、外側及び内側リンクの少なくとも一方は移動規制部により軸方向の移動が規制されて連結ピンだけが押圧方向に移動する。そして軸抜きピンがチェーンを貫通すると、連結ピンが外れる。このとき、連結ピンの押圧側の膨出部分の残滓が凹部に環状に残ることがある。連結ピンが外れると、ハンドル部を逆方向に回転させて軸抜きピンを後退させる、すると、先端部と基端部との境界部分の段差に環状の残滓が引っ掛かり後退する軸抜きピンとともに凹部から外れる。ここでは、軸抜きピンの先端部と基端部との間に段差を設け、軸抜きピンの後退時に残滓を引っ掛けて除去できるようにしたので、狭幅のチェーンであっても連結ピンの膨出部分の残滓が残りにくくなる。また、除去部と別に連結部を設けているので、連結部の取り合いを従来のチェーン切断装置のねじ軸に連結できるようにすることにより、従来のチェーン切断装置に軸抜きピンを装着することができる。このため、チェーンのメンテナンスを行うライダーや販売店などのユーザは、軸抜きピンだけを新たに購入するだけですみ、ユーザの利便性が向上する。
【００１５】
【発明の実施の形態】
本願発明のチェーン切断工具１０が切断可能なチェーンは、通常のチェーンはもちろんのこと、１０段変速用に製造された狭幅のチェーンも切断可能である。狭幅のチェーン５０は、図４に示すように、両端外側に凹部５１ａを有する外側リンク５１と、外側リンク５１の内側に一部が重複するように交互に配置された内側リンク５２と、両リンク５１，５２を連結するために両リンク５１，５２の重複部分を貫通して装着され凹部５１ａに係合する他の部分より大径の膨出部５３ａ，５３ｂがカシメにより両端に形成された連結ピン５３と、連結ピン５３の外周側で内側リンク５２に回転自在に支持されたローラ５４とを有している。このように構成されたチェーン５０は、連結ピン５３が外側リンク５１の凹部５１ａにカシメ固定されているので、連結ピン５３が外側リンク５１の外方に突出しにくい構造である。このため、チェーン５０の幅寸法が小さくなり、チェーン５０の狭幅化を図ることができる。
【００１６】
図１及び図２において、本発明の一実施形態によるチェーン切断工具１０は、本体部１１と、本体部１１にねじ込まれるねじ軸２０を有するハンドル部１２と、ねじ軸２０の先端に連結される軸抜きピン１３とを有している。
本体部１１は、六角形の外径をした棒状部材であり、軸方向の途中にチェーンを装着したり軸抜きピン１３を装着したりするための装着凹部２１が棒状部材を切り欠いて形成されている。装着凹部２１の基端側には、中心から偏芯した位置に軸方向に沿って雌ねじ部２２が所定長さで形成されている。装着凹部２１には、軸抜きピン１３を支えるための支えピン２３が立設されている。また、切断するチェーンを位置決めするための位置決め突起２４が一体形成されている。位置決め突起２４はチェーンが噛み合うスプロケットの歯と同様な形状に形成されている。なお、位置決め突起２４の両側には、位置決めブラケット２５（図２）が装着されている。位置決めブラケット２５は、位置決め突起２４に形成されたスプロケットの歯と連続するスプロケットの歯と同様な形状に形成されている。これにより、チェーンを位置決め突起２４に装着すると、チェーンの連結ピンに対向して軸抜きピン１３を配置することができる。位置決め突起２４の先端側には、チェーンの外側リンクが連結ピンの軸方向に移動するのを規制する鍔付きブッシュ２６が固定されている。鍔付きブッシュ２６は本体部１１の先端側に開口する連結ピンより大径の貫通孔を有している。鍔付きブッシュ２６の鍔部２６ａに外側リンクが接触してチェーンが押圧方向（連結ピンの軸方向）に移動するのを防止している。なお、鍔付きブッシュ２６の上部及び本体部１１の鍔付きブッシュ２６装着部分の上部は、抜け出した連結ピンを除去可能に開いている。
【００１７】
本体部１１の雌ねじ部２２の偏芯方向と逆方向の先端部外周には、プライウッド製のグリップ２７がねじ込み固定されている。このグリップ２７により位置決めブラケット２５が本体部１１に固定されている。グリップ２７には収納空間が形成されており、収納空間には、チェーン切断後に連結ピンとして使用する連結ピンとは異なる形状の２本のスペアピン２９を収納可能である。
【００１８】
ハンドル部１２は、ねじ軸２０と、ねじ軸２０の基端に固定されたハンドルグリップ３０とを有している。ねじ軸２０の外周面には、雌ねじ部２２に螺合する雄ねじ部３１が形成されている。ねじ軸２０の先端には、小径で突出する取付ねじ部３２が形成されている。取付ねじ部３２には、軸抜きピン１３を装着するための有底筒状のホルダ３３がねじ込まれている。ホルダ３３の底部には、軸抜きピン１３を係止するための係止孔３３ａが形成されている。取付ねじ部３２の端面の中心には、軸抜きピン１３を装着するための装着穴３４が形成されている。装着穴３４の底部には、鋼球３５が装着されている。ねじ軸２０の基端にはハンドル取付孔３６が径方向に貫通して形成されている。
【００１９】
ハンドルグリップ３０は、両端に雄ねじ部３７ａを有し、ハンドル取付孔３６に貫通して装着されたグリップ装着軸３７と、グリップ装着軸３７の両端にねじ込まれたプライウッド製の２本の把手部３８とを有している。このハンドルグリップ３０をねじ込み方向に回すと、ねじ軸２０が進出して軸抜きピン１３が連結ピンを押圧して抜き取ることができる。
【００２０】
軸抜きピン１３は、ねじ軸２０の先端に着脱自在に連結され、ハンドル部１２を回転させることにより連結ピンに接触して押圧し、連結ピンを抜き取るものである。軸抜きピン１３は、図３に示すように、連結ピン５３より小径でありかつ連結ピン５３より短い先端部４０と、先端部４０と一体形成され少なくとも先端部４０との境界部分が先端部４０より小径な基端部４１とを有している。
【００２１】
先端部４０は、先細りのテーパ部４０ａを有している。基端部４１は、先端部４０より小径の除去部４２と、除去部４２に隣接してねじ軸２０に連結される連結部４３とを有している。連結部４３は、除去部４２から徐々に拡径するテーパ部４３ａと、テーパ部４３ａから延びる第１軸部４３ｂと、第１軸部４３ｂから基端に向けて延び、ねじ軸２０の装着穴３４に挿入される第２軸部４３ｃとを有している。
【００２２】
軸抜きピン１３は、第２軸部４３ｃが装着穴３４に挿入された状態で、ホルダ３３の係止孔３３ａに両軸部４３ｂ，４３ｃの境界部分に形成された段差部４３ｄが係止され、ねじ軸２０に軸抜きピン１３が着脱自在に装着されている。なお、軸抜きピン１３の基端は装着穴３４の底部で鋼球３５に点接触しているため、軸抜きピン１３は、ねじ軸２０に回転可能に装着されている。このため、軸抜きピン１３の先端が連結ピン５３に接触するとハンドル部１２を回しても軸抜きピン１３は僅かに回転する程度であまり回転しなくなる。この軸抜きピン１３のねじ軸２０に装着される部分である第１軸部４３ｂ及び第２軸部４３ｃの形状及び寸法は従来の軸抜きピンと同じになっている。このため、従来の軸抜きピンと取付の互換性を維持でき、本願発明の軸抜きピン１３を従来のチェーン切断装置に装着することができる。
【００２３】
次にチェーンの切断作業について説明する。
チェーンの切断の際には、図４に示すように、ハンドル部１２を回して軸抜きピン１３を後退させてチェーン５０を装着可能にする。そして、チェーン５０の切断する部分が軸抜きピン１３に対向するようにチェーン５０を位置決め突起２４にセットする。この状態でハンドル部１２をねじ込み方向（通常は時計回り）に回すと、軸抜きピン１３が前進してその先端が連結ピン５３に接触する（図４（ａ）及び図５）。このままさらにハンドル部１２を回すと、外側リンク５１が鍔付きブッシュ２６により押圧方向（図４において連結ピンの軸方向下方）への移動が規制され、軸抜きピン１３が連結ピン５３を押圧して図４（ｂ）に示すようにチェーン５０の押圧側と逆側に抜き出す。このとき、連結ピン５３の押圧側の膨出部５３ａが外側リンク５１の押圧側の凹部５１ａに残ることがある。この膨出部５３ａの残滓がそのままこの位置に残ると、新たにスペアピン２９を装着するときに邪魔になり、スペアピン２９をうまく装着できないことがある。
【００２４】
しかし、図４（ｃ）に示すように、連結ピン５３を抜き出した後にハンドル部１２をねじ込み方向と逆方向に回して軸抜きピン１３を後退させると、先端部４０と基端部４１との段差部分４５に膨出部５３ａの残滓が引っ掛かり、膨出部５３ａの残滓を凹部５１ａから除去することができる。
段差に残滓が引っ掛かる理由は、はっきりとは分からないが、図５に示すように、先端部４０にはテーパ部４０ａが形成されているため、膨出部５３ａの残滓は膨出部５３ａより内径側の部分も含まれる。この部分が剪断後に拡径して脹らんだ後に先端部４０が通過した時点で小径の基端部４１に向けて弾性により内周側に縮むためであると考えられる。このように内周側に縮んだ膨出部５３ａの残滓が先端部４０と基端部４１との段差部分４５に引っ掛かって取り出せると考えられる。
【００２５】
また、これ以外に、軸抜きピン１３が後退するときに、軸抜きピン１３の回転により残滓がゆがんだりずれたりし、そのずれた残滓が軸抜きピン１３の段差部分４５に引っ掛かるということも考えられる。いずれにしても先端部７０と基端部４１との間に段差部分４５を形成することにより段差に膨出部５３ａの残滓が引っ掛かって残滓が除去されやすくなる。
【００２６】
ただし、このようなテーパ部４０ａを設けなくても、残滓は剪断後に内周側に縮むことが考えられるので、テーパ部４０ａは必ずしも必須の要件ではない。
ここでは、軸抜きピン１３の先端部４０と基端部４１との間に段差部分４５を設け、軸抜きピン１３の後退時に残滓を引っ掛けて除去できるようにしたので、狭幅のチェーンであっても連結ピン５３の膨出部分５３ａの残滓が残りにくくなる。
【００２７】
〔他の実施形態〕
（ａ）前記実施形態では、大型のチェーン切断工具を際に説明したが、チェーン切断工具の形状は前記実施形態に限定されない。
（ｂ）図６に示すように、軸抜きピン１１３の基端部４１の除去部４２に残滓除去用のばね部材１２０を装着してもよい。ばね部材１２０は、先端部４０より大径で連結ピン５３より僅かに小径の自由径となるように形成された１巻の板材製のコイルばねである。ばね部材１２０は除去部４２の外周側に装着されている。
【００２８】
このような構成の軸抜きピン１１３では、膨出部５３ａの残滓は、軸抜きピン１１３を抜き出すときにばね部材１２０引っ掛かって除去される。しかし、ばね部材１２０に引っ掛からなくても先端部４０と除去部４２との段差部分４５で引っ掛かって除去される。このため、膨出部５３ａの残滓をさらに確実に除去できる。
【００２９】
（ｃ）前記実施形態では、軸抜きピン１３の除去部４２と連結部の第１軸部４３ｂとの間にテーパ部４３ａを形成したが、テーパ部４３ａを設けなくてもよい。ただし、テーパ部４３ａを設けたほうが、除去部４２に複数の残滓がたまったときにテーパ部４３ａで残滓が切れて残滓を取りやすくなる。
【００３０】
【発明の効果】
本発明によれば、軸抜きピンの先端部と基端部との間に段差を設け、軸抜きピンの後退時に残滓を引っ掛けて除去できるようにしたので、狭幅のチェーンであっても連結ピンの膨出部分の残滓が残りにくくなる。
【図面の簡単な説明】
【図１】本発明の実施形態１によるチェーン切断工具の側面断面図。
【図２】その平面図。
【図３】本発明の一実施形態による軸抜きピンの側面図。
【図４】連結ピンの除去作業を説明する図。
【図５】膨出部の残滓の発生原因を示す模式図。
【図６】他の実施形態の図４に相当する図。
【符号の説明】
１０  チェーン切断装置
１１  本体部
１２  ハンドル部
１３  軸抜きピン
２０  ねじ軸
２２  雌ねじ部
２６  鍔付きブッシュ（移動規制部の一例）
３１  雄ねじ部
４０  先端部
４０ａ  テーパ部
４１  基端部
４２  除去部
４３  連結部
４５  段差部分
５０  チェーン
５１  外側リンク
５２  内側リンク
５３  連結ピン
５３ａ，５３ｂ  膨出部
【図１】
0003680066.tif 000002
【図２】
0003680066.tif 000003
【図３】
0003680066.tif 000004
【図４】
0003680066.tif 000005
【図５】
0003680066.tif 000006
【図６】
0003680066.tif 000007